(57)【要約】【課題】  木製の床面の清掃具であって、床に向けた清掃面にワイパーシートを装着して床面を清掃するとき、ワイパーシートと床面との間にブラシや刷毛を設けた木製床の清掃具具。【解決手段】  本発明は、清掃体の上側にワイパーシートを取り付ける複数の係止部を有し、下側に前記ワイパーシートを介して床面と接する基盤と、前記基盤に、前記ワイパーシートと床面との間に適宜大のスペースを構成する凹部と、前記スペース内に、目地部清掃手段を介在させていることよりなる。【選択図】図１
2018023697.tif 000002
【特許請求の範囲】
【請求項１】
清掃体の上側にワイパーシートを取り付ける複数の係止部を有し、下側に前記ワイパーシートを介して床面と接する基盤と、
前記基盤に、前記ワイパーシートと床面との間に適宜大のスペースを構成する凹部と、
前記スペース内に、目地部清掃手段を介在させていることを特徴とする木製床の清掃具。
【請求項２】
前記凹部は、清掃体の長辺と平行に形成する溝部である請求項１に記載の木製床の清掃具。
【請求項３】
前記目地部清掃手段は前記溝部への出入機構を有するブラシ体及び刷毛体等とする請求項１又は２に記載の木製床の清掃具。
【請求項４】
前記溝部への前記出入機構は、前記ブラシ体及び刷毛体等に脱落防止機構を備えて着脱可能とする請求項１又は３に記載の木製床の清掃具。
【請求項５】
前記溝部への前記出入機構は、前記ブラシ体及び刷毛体等の両端に形成する支持体を前記清掃体に軸着する請求項１又は３に記載の木製床の清掃具。
【請求項６】
前記溝部への前記出入機構は、前記溝部内の端部から中央方向に向けて形成する軸受けにブラシ体及び刷毛体等の端部を軸着する請求項１又は３に記載の木製床の清掃具。
【請求項７】
前記溝部への前記出入機構は、前記ブラシ体を前記溝部内から溝部の延長方向に抜き差しする請求項１又は３に記載の木製床の清掃具。
【発明の詳細な説明】
【技術分野】
【０００１】  本発明は木製床の清掃具であって、清掃面にワイパーシートを装着して床面を清掃するとき、ワイパーシートと床面との間にブラシや刷毛を介在させることで、目地内のゴミや汚れを床面と同時に清掃できる木製床の清掃具に関する。
【背景技術】
【０００２】  従来、木製床の清掃具として代表的なものはモップであったが、近年では床に向けた平らな清掃面にワイパーシートを装着して床面を清掃するものが多く使用されている。
【先行技術文献】
【特許文献】
【０００３】
【特許文献１】  特開第２００９−１１２７４１号
【特許文献２】  特開第２００９−２４７８７３号
【特許文献３】  実用新案登録第３１８６８４４号
【発明の概要】
【発明が解決しようとする課題】
【０００４】  先行文献１は、ブラシを設けている位置が、実際に床を清掃するときの清掃具本体の操作方向に対して側面部であり、且つ床面と平行に毛足が延びているもので、この文献の目的と効果は、ともに床面以外の箇所を掃除するためのブラシである。【０００５】  先行文献２は、二本の粘着ローラーの間にゴミをかき出す手段としてブラシを設けているが、ここでの粘着ローラーとは、明細書の段落番号０００６の最後に記載された（リ）１４・１５の内容から判断すると、粘着材を設けた剥離紙を円筒の芯に巻き付けている通称「コロコロ」に使用するものであることは明白であり、この粘着ローラーを床板等の平滑な面に押し当てると、粘着力によってローラーが床に貼りついて転すことができなくなり、これを無理に転がそうとすると剥離紙ごと床に広く貼りついてしまうので、カーペット類には使用できたとしても、木製の床に使用できないことは自明である。
また、この文献の特許請求の範囲及び明細書にも、「かき出し手段」と記載されているものの、床の目地及びジョイントを表す文言の記載がなく、「木製床の目地内の汚れを落とす」と言う概念は全く無い。【０００６】  先行文献３は、清掃具本体の操作時の進行方向に対して前側にブラシを設けていて、これは硬い塵や砂粒をワイパーシートで拭き取る以前に払いのけるためのブラシであって、このブラシは必要とき以外は取り外すようにしている。
上記以外の先行文献にも、床表面と目地内の清掃を同時に行えるものはなかった。
【課題を解決するための手段】
【０００７】  本発明は、清掃体の上側にワイパーシートを取り付ける複数の係止部を有し、下側に前記ワイパーシートを介して床面と接する基盤と、前記基盤に、前記ワイパーシートと床面との間に適宜大のスペースを構成する凹部と、前記スペース内に、目地部清掃手段を介在させてたことよりなる。
【発明の効果】
【０００８】  本発明は上記構成によって次に述べる効果がある。
清掃具本体にワイパーシートを装着したあと、基盤を前後に分割する凹部に目地部清掃手段とするブラシ体を嵌入するとき、ブラシ体によってワイパーシートも共に嵌入することになるので、結果としてブラシ体の前後にワイパーシートが存在する状態になる。
よって本発明の木製床の清掃具で目地とジョイントがある床面を清掃すると、
目地内のゴミや汚れをブラシ体の毛足が掻き出し、このゴミや汚れを直ちにワイパーシートで拭き取ることができる。
更に、ブラシ体の前後にワイパーシートがあるので、清掃具本体の前後への押し引き動作の両方で前記する効果が得られる。
【図面の簡単な説明】
【０００９】
【図１】  実施例１の上側の正面図である。
【図２】  図１の下側の正面図である。
【図３】  図１のＡ−Ａ矢視図である。
【図４】  図１のＢ−Ｂ断面図である。
【図５】  本実施例にワイパーシートの装着手順を示す断面図である。
【図６】  図５のブラシ体を矢印の方向に旋回した状態の断面図である。
【図７】  図６の溝部にブラシ体を挿入した状態の断面図である。
【図８】  本実施例を使用できる状態の断面図である。
【図９】  本実施例の作用を示す断面図である。
【図１０】  実施例２の下側の正面図である。
【図１１】  図１０のＣ−Ｃ断面図で、ブラシ体を旋回した状態おも示した図である。
【図１２】  図１０のア部詳細図である。
【図１３】  図１１のイ部、及び図１２のＤ断面図である。
【図１４】  実施例３の断面図である。
【発明を実施するための形体】
【実施例１】
【００１０】  本発明の実施例１を図１・図２・図３・図４に基づいて詳細に説明する。
先ず図１は本実施例の上側の正面図であって、図示の通り清掃体１の上側中央のジョイント部３を介して操作竿２及び、前方側の両端部にワイパーシートを固定するための係止具５・５を設け、且つ後方側の両端部にも同じ作用の係止具４・４設けて、更に清掃体１の両側面部に、左右一対の支持体２４・２４をそれぞれを軸着部２５によって軸着し、本図では下側に隠れて見えていないが、左側面の支持体２４から右側面の支持体２４に渡って目地部清掃手段とするブラシ体が連接されている。【００１１】  次に図２は清掃体１の下側の面を正面から見た図であって、後方側を弾性素材による基盤６とし、前方側に向けて溝部８を介して、同じ弾性素材による基盤７を形成していて、溝部８に介在するブラシ体２１は、清掃体１の両側面部に軸着する支持体２４・２４によって回動可能に支持されている。【００１２】  次に図３は図１のＡ−Ａ側面図であって、清掃体１の上側に配設するジョイント部３を介して操作竿２及び、後方側に係止具４と前方側に係止具５を配設し、且つ下側は後方側の基盤６とブラシ体２１を介して基盤７を形成していて、清掃体１の側面後方に軸着する支持体２４は、先端の前記溝部８に嵌入できる位置にブラシ体２１を連設し、該ブラシ体２１の毛足２２・２３の先端は前記基盤６及び基盤７の表面より数ミリ突出している。【００１３】  次に図４は図１のＢ−Ｂ断面図であって、図３のブラシ体２１を溝部８に嵌入した状態を示している。
また、本実施例のブラシ体２１を溝部８への出入手段は、支持体２４を介して清掃体１に軸着する以外にも、ブラシ体２１に直接ラッチ等による脱落防止機構を設けて着脱式にしても良い。
更に、目地部清掃手段は、毛羽立った布等、ブラシ及び刷毛と同じ効果が得られる素材であれば何でもよい。【００１４】  次に本実施例使用するときの状態を図５・図６・図７・図８・図９に基づいて順次詳細に説明する。
先ず図５に示すように、操作竿２を前方側に倒し、続けてブラシ体２１を旋回させて清掃体１の上側に位置させておき、ワイパーシート３１の一端を係止具４・４に固定し、続けて図６に示すように、清掃体１の上側に位置するブラシ体２１を、右方向にワイパーシート３１を巻き込みながら溝部８に向けて旋回させ、
続けて図７に示すように、ブラシ体２１をワイパーシート３１とともに溝部８に嵌入したあと、図８に示すように、ワイパーシート３１の他端を係止具５・５に固定して、本実施例は使用できる状態となる。【００１５】  続いて図９に示すように、本実施例によって木製の床を清掃するときは、ワイパーシート３１を床面に密着させた状態のまま、清掃具１を前後方向に摺動して行うが、このときブラシ体２１に設けた毛足２２は図示するように撓って床面を清掃し、毛足２３も撓りながら先端が目地底まで到達して、目地内のゴミや汚れを掻き出し、このゴミや汚れをワイパーシート３１で拭き取ることができる。
そして、毛足２２・２３とワイパーシート３１による作用と効果は前後方向の両動作時に得られるものである。【００１６】  次に、本発明の実施例２を図１０・図１１に基づいて詳細に説明する。
図１０は清掃体１０の下側の面を正面から見た図であって、後方側を基盤６とし、前方側に向けて溝部９を介して基盤７を形成していて、溝部９に介在するブラシ体２６は、前記溝部９内の端部に中心方向に向けて凸設する軸受け部１１に軸着している。【００１７】  図１１は図１０のＣ−Ｃ断面図であって、溝部９内に位置するブラシ体２６は、軸着部２７によって回動可能としている。
本実施例の使用方法及び作用と効果は実施例１と同じであるが、ワイパーシート３１を装着するときは、ブラシ体２６を点線で図示する位置まで旋回させてワイパーシートを固定し、
次に、外側に開いているブラシ体２６を溝部９内に戻すのであるが、このときワイパーシート３１の側辺部をブラシ体２６に形成する掛け部２８に掛けて旋回すると、ワイパーシート３１を軸受け部１１の裏側まで引き込むことができる。【００１８】  図１２は図１０のア部詳細図であって、清掃体１０の側面内側に溝部９内に向けて突出する軸受部１１を形成し、この軸受け部１１にブラシ体２６を回動可能に軸着している。【００１９】  図１３は図１２のＤ断面図であって、ブラシ体２６の軸着部２７の側に掛け部２８を形成した状態を示している。【００２０】  次に実施例３を図１４に基づいて詳細に説明する。
清掃体１２に形成する溝部１３内にガイド体１４を形成していて、このガイド体１４を挟み込むように、長Ｕの字型のブラシ体２９を開放側から挿入している。
本実施例を使用するときは、ブラシ体２９を一度引き抜き、ワイパーシートを装着した後に、ガイド体１４にワイパーシートを重ねた状態のままでブラシ体２９を再び挿入すると使用できる状態となる。
【符号の説明】
【００２１】  １：清掃体                ２：操作竿                ３：ジョイント部
４：係止具                ５：係止具                ６：基盤
７：基盤                  ８：溝部                  ９：溝部
１０：清掃体              １１：軸受け部            １２：清掃体
１３：溝部                １４：ガイド体
２１：ブラシ体            ２２：毛足                ２３：毛足
２４：支持体              ２５：軸着部              ２６：ブラシ体
２７：軸着部              ２８：掛け                ２９：ブラシ体
３１：ワイパーシート
【図１】
2018023697.tif 000003
【図２】
2018023697.tif 000004
【図３】
2018023697.tif 000005
【図４】
2018023697.tif 000006
【図５】
2018023697.tif 000007
【図６】
2018023697.tif 000008
【図７】
2018023697.tif 000009
【図８】
2018023697.tif 000010
【図９】
2018023697.tif 000011
【図１０】
2018023697.tif 000012
【図１１】
2018023697.tif 000013
【図１２】
2018023697.tif 000014
【図１３】
2018023697.tif 000015
【図１４】
2018023697.tif 000016
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
下側をワイパーシートを介して床面に接する基盤とし、該基盤を除く面に前記ワイパーシートを取り付ける複数の係止部を有する清掃体と、
前記基盤に、前記ワイパーシートと床面との間に所要大の区画を構成する凹部と、
前記区画内に、目地部清掃手段を介在させることを特徴とする木製床の清掃具。
【請求項２】
前記凹部は、清掃体の長辺と平行に形成する溝部である請求項１に記載の木製床の清掃具。
【請求項３】
前記目地部清掃手段は前記溝部への出入機構を有するブラシ体及び刷毛体等とする請求項１又は２に記載の木製床の清掃具。
【請求項４】
前記溝部への出入機構は、前記ブラシ体及び刷毛体等に脱落防止手段を備えて着脱可能とする請求項１から３のいずれかに記載の木製床の清掃具。
【請求項５】
前記溝部への出入機構は、前記ブラシ体及び刷毛体等の両端に形成する支持体を前記清掃体に軸着する請求項１から３のいずれかに記載の木製床の清掃具。
【請求項６】
前記溝部への出入機構は、前記溝部内の端部に形成する軸受けにブラシ体及び刷毛体等の端部を軸着する請求項１から３のいずれかに記載の木製床の清掃具。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
下側をワイパーシートを介して床面に接する基盤とし、該基盤を除く面に前記ワイパーシートを取り付ける複数の係止部を有する清掃体を備えた木製床の清掃具であって、
前記基盤に、前記ワイパーシートと床面との間に所要大の区画を構成する凹部が形成され、
前記凹部内に、目地部清掃手段を介在させることを特徴とする木製床の清掃具。
【請求項２】
前記凹部は、清掃体の長辺と平行に形成する溝部である請求項１に記載の木製床の清掃具。
【請求項３】
前記目地部清掃手段は前記溝部への出入機構を有するブラシ体及び刷毛体とする請求項２に記載の木製床の清掃具。
【請求項４】
前記溝部への出入機構は、前記ブラシ体及び刷毛体に脱落防止手段を備えて着脱可能とする請求項３に記載の木製床の清掃具。
【請求項５】
前記溝部への出入機構は、前記ブラシ体及び刷毛体の両端に形成する支持体を前記清掃体に軸着する請求項３に記載の木製床の清掃具。
【請求項６】
前記溝部への出入機構は、前記溝部内の端部に形成する軸受けにブラシ体及び刷毛体の端部を軸着する請求項３に記載の木製床の清掃具。